(57)【要約】【課題】ユーザのコンテンツ受信装置にユーザの嗜好にあったコンテンツを自動配信する。【解決手段】コンテンツ配信装置１は、コンテンツ受信装置を一意に識別する識別子および識別子に紐付けられた嗜好情報を受け付ける受付部１１と、コンテンツを記憶する記憶部１３と、コンテンツをコンテンツ受信装置に配信する配信部１４と、嗜好情報に基づき、コンテンツとの関連の大きさを示す嗜好度を識別子と関連付けてコンテンツに予め付与し、コンテンツ受信装置から識別子を受信すると、受信した識別子に関連付けて付与した嗜好度を有するコンテンツを受信した識別子を有するコンテンツ受信装置に配信するよう配信部１４を制御する制御部１２と、を備える。【選択図】図１
2015136034.tif 000002
【特許請求の範囲】
【請求項１】
コンテンツ受信装置を一意に識別する識別子および前記識別子に紐付けられた嗜好情報を受け付ける受付部と、
コンテンツを記憶する記憶部と、
前記コンテンツを前記コンテンツ受信装置に配信する配信部と、
前記嗜好情報に基づき、前記コンテンツとの関連の大きさを示す嗜好度を前記識別子と関連付けて前記コンテンツに予め付与し、前記コンテンツ受信装置から識別子を受信すると、前記受信した識別子に関連付けて付与した嗜好度を有するコンテンツを前記受信した識別子を有するコンテンツ受信装置に配信するよう前記配信部を制御する制御部と、
を備えるコンテンツ配信装置。
【請求項２】
前記制御部は、
前記コンテンツを配信した後、前記コンテンツを配信したコンテンツ受信装置の識別子に関連付けて前記コンテンツに付与した嗜好度を剥奪し、前記コンテンツに付与したコンテンツ受信装置の識別子毎の嗜好度を全て剥奪すると、前記コンテンツを前記記憶部から削除する
ことを特徴とする請求項１記載のコンテンツ配信装置。
【請求項３】
前記制御部は、
前記コンテンツに配信数制限がある場合、前記嗜好度が最も高い識別子を有するコンテンツ受信装置から順に前記配信数制限まで前記コンテンツを配信し、前記配信数制限を超えて前記コンテンツを配信しない識別子を受信すると、前記コンテンツを配信しない識別子を有するコンテンツ受信装置に前記コンテンツを配信したコンテンツ受信装置の識別子と前記配信しないコンテンツを通知する
ことを特徴とする請求項１または２記載のコンテンツ配信装置。
【請求項４】
前記制御部は、
前記コンテンツを配信した後、前記コンテンツを配信したコンテンツ受信装置の識別子に関連付けて前記コンテンツに付与した嗜好度を剥奪し、かつ、
前記配信数制限を超えて前記コンテンツを配信しない識別子を受信すると、前記コンテンツを配信しない識別子を有するコンテンツ受信装置に前記コンテンツを配信したコンテンツ受信装置の識別子と前記配信しないコンテンツを通知した後、前記コンテンツを配信しないコンテンツ受信装置の識別子に関連付けて前記コンテンツに付与した嗜好度を剥奪し、
前記コンテンツに付与したコンテンツ受信装置の識別子毎の嗜好度を全て剥奪すると、前記コンテンツを記憶部から削除する
ことを特徴とする請求項３記載のコンテンツ配信装置。
【請求項５】
前記制御部は、
前記記憶部の残記憶容量が所定の容量よりも少なくなるまでは、前記コンテンツに付与したコンテンツ受信装置の識別子毎の嗜好度を全て剥奪しても、前記コンテンツを削除しない
ことを特徴とする請求項２または４に記載のコンテンツ配信装置。
【請求項６】
コンテンツ受信装置を一意に識別する識別子および前記識別子に紐付けられた嗜好情報を受け付ける受付ステップと、
コンテンツを記憶する記憶ステップと、
前記嗜好情報に基づき、前記コンテンツとの関連の大きさを示す嗜好度を前記識別子と関連付けて前記コンテンツに予め付与し、前記コンテンツ受信装置から識別子を受信すると、前記受信した識別子に関連付けて付与した嗜好度を有するコンテンツを前記受信した識別子を有するコンテンツ受信装置に配信する配信ステップと、
を備えるコンテンツ配信方法。
【発明の詳細な説明】
【技術分野】
【０００１】
本開示は、コンテンツ配信装置およびコンテンツ配信方法に関する。
【背景技術】
【０００２】
特許文献１は、複数のユーザが共有して使用する録画再生装置であって、より多くのユーザに有益となるコンテンツを提供する録画再生装置を開示する。
【先行技術文献】
【特許文献】
【０００３】
【特許文献１】国際公開第２００９／０６９１７２号
【発明の概要】
【発明が解決しようとする課題】
【０００４】
本開示は、コンテンツ受信装置を一意に識別する識別子に紐付けられた嗜好情報に基づき、コンテンツとの関連の大きさを示す嗜好度を識別子と関連付けてコンテンツに予め付与し、コンテンツ受信装置から識別子を受信すると、受信した識別子に関連付けて付与された嗜好度を有するコンテンツを、受信した識別子を有するコンテンツ受信装置に配信するコンテンツ配信装置およびコンテンツ配信方法を提供する。
【課題を解決するための手段】
【０００５】
本開示のコンテンツ配信装置は、コンテンツ受信装置を一意に識別する識別子および前記識別子に紐付けられた嗜好情報を受け付ける受付部と、コンテンツを記憶する記憶部と、前記コンテンツを前記コンテンツ受信装置に配信する配信部と、前記嗜好情報に基づき、前記コンテンツとの関連の大きさを示す嗜好度を前記識別子と関連付けて前記コンテンツに予め付与し、前記コンテンツ受信装置から識別子を受信すると、前記受信した識別子に関連付けて付与した嗜好度を有するコンテンツを前記受信した識別子を有するコンテンツ受信装置に配信するよう前記配信部を制御する制御部と、を備える。
【０００６】
また、本開示のコンテンツ配信方法は、コンテンツ受信装置を一意に識別する識別子および前記識別子に紐付けられた嗜好情報を受け付ける受付ステップと、コンテンツを記憶する記憶ステップと、前記嗜好情報に基づき、前記コンテンツとの関連の大きさを示す嗜好度を前記識別子と関連付けて前記コンテンツに予め付与し、前記コンテンツ受信装置から識別子を受信すると、前記受信した識別子に関連付けて付与した嗜好度を有するコンテンツを前記受信した識別子を有するコンテンツ受信装置に配信する配信ステップと、を備える。
【０００７】
本開示のコンテンツ配信装置およびコンテンツ配信方法によれば、コンテンツ受信装置を一意に識別する識別子に紐付けられた嗜好情報に基づき、コンテンツとの関連の大きさを示す嗜好度を識別子と関連付けてコンテンツに予め付与し、コンテンツ受信装置から識別子を受信すると、受信した識別子に関連付けて付与された嗜好度を有するコンテンツを、受信した識別子を有するコンテンツ受信装置に配信するので、コンテンツ受信装置毎にユーザの嗜好にあったコンテンツを自動配信することができる。
【発明の効果】
【０００８】
本開示のコンテンツ配信装置およびコンテンツ配信方法によれば、コンテンツ受信装置を一意に識別する識別子に紐付けられた嗜好情報に基づき、コンテンツとの関連の大きさを示す嗜好度を識別子と関連付けてコンテンツに予め付与し、コンテンツ受信装置から識別子を受信すると、受信した識別子に関連付けて付与された嗜好度を有するコンテンツを、受信した識別子を有するコンテンツ受信装置に配信するので、コンテンツ受信装置毎にユーザの嗜好にあったコンテンツを自動配信することができる。
【図面の簡単な説明】
【０００９】
【図１】実施の形態１に係るコンテンツ配信システムの構成を示すブロック図
【図２】実施の形態１に係るコンテンツ配信装置の記憶部が記憶しているユーザ情報を示す図
【図３】実施の形態１に係るコンテンツ配信装置の記憶部が記憶している嗜好ポイントを示す図
【図４】実施の形態１に係るコンテンツ配信装置の動作を説明するためのフローチャート
【図５】実施の形態１に係るコンテンツ配信装置のコンテンツ配信制御を説明するためのフローチャート
【図６】実施の形態１に係るコンテンツ配信装置のコンテンツ削除制御を説明するためのフローチャート
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者は、当業者が本開示を十分に理解するために添付図面および以下の説明を提供するのであって、これらによって特許請求の範囲に記載の主題を限定することを意図するものではない。
（実施の形態１）
［１−１．構成］
図１は、実施の形態１に係るコンテンツ配信システムの構成を示すブロック図である。
【００１２】
本コンテンツ配信システムにおいて、コンテンツ受信装置を一意に識別する識別子に紐付けられた嗜好情報に基づき、コンテンツとの関連の大きさを示す嗜好度を識別子と関連付けてコンテンツに予め付与したコンテンツ配信装置から当該コンテンツ受信装置に対して、コンテンツの配信が行われる。
【００１３】
図１において、コンテンツ配信システム１００は、コンテンツ配信装置１、コンテンツ受信装置２および３を備える。なお、図１では、コンテンツ受信装置が２台の場合を示しているがこれに限らず、１台または３台以上であっても良い。また、コンテンツ受信装置３は、コンテンツ受信装置２と同じ構成および動作であるため詳細な記載は省略する。
【００１４】
はじめに、コンテンツ配信装置１の構成について説明する。
【００１５】
コンテンツ配信装置１は、受付部１１、制御部１２、記憶部１３、配信部１４を備える。また、コンテンツ受信装置２は、送信部２１、制御部２２、受信部２３、記憶部２４、表示部２５を備える。
【００１６】
受付部１１は、後述する制御部１２がコンテンツ受信装置を一意に識別する識別子に紐付けられた嗜好情報に基づき、コンテンツとの関連の大きさを示す嗜好度を識別子と関連付けてコンテンツに予め付与した後、コンテンツ受信装置のユーザからユーザ情報を受け付けると、受け付けたユーザ情報を制御部１２に渡す。ユーザ情報は、少なくとも、コンテンツ受信装置を一意に識別する識別子およびその識別子に紐付けられたコンテンツ受信装置のユーザの嗜好情報を含む。コンテンツ受信装置を一意に識別する識別子とは、例えば、コンテンツ受信装置の装置ＩＤである。コンテンツ受信装置のユーザの嗜好情報とは、例えば、コンテンツ受信装置のユーザがコンテンツ配信装置１から配信を受けたいコンテンツのジャンル、カテゴリーである。コンテンツ受信装置のユーザは、コンテンツ配信装置１のリモコン（図示せず）を用いてユーザ情報をコンテンツ配信装置１に入力しても良いし、コンテンツ受信装置をコンテンツ配信装置１のリモコンとして用いてユーザ情報をコンテンツ配信装置１に入力しても良い。
【００１７】
また、受付部１１は、コンテンツ受信装置からコンテンツ受信装置を一意に識別する識別子を受信し、受信した識別子を制御部１２に渡す。
【００１８】
制御部１２は、コンテンツ配信装置１全体を制御する。
【００１９】
制御部１２は、コンテンツを受信し、記憶部１３に記憶する。コンテンツは、地上波放送やＩＰ（Ｉｎｔｅｒｎｅｔ  Ｐｒｏｔｏｃｏｌ）放送などにより配信されたコンテンツを含む。また、コンテンツは、ジャンル、カテゴリーなどからなる番組情報や、コンテンツを他装置に配信する数を制限する配信数制限に関する情報を含んでも良い。
【００２０】
また、制御部１２は、受付部１１からコンテンツ受信装置のユーザのユーザ情報を受け、受けたユーザ情報に含まれる嗜好情報（例えば、ユーザがコンテンツ配信装置１から配信を受けたいコンテンツのジャンル、カテゴリー）と記憶部１３に記憶させたコンテンツ、より具体的にはコンテンツに含まれる番組情報、との関連の大きさを示す嗜好度（例えば、嗜好ポイント）を算出し、算出した嗜好度を、受けたユーザ情報に含まれる識別子と関連付けてコンテンツに付与し、記憶部１３に記憶する。制御部１２は、コンテンツが配信数制限に関する情報を含んでいる場合、算出した嗜好度を、受けたユーザ情報に含まれる識別子に加え、配信数制限に関する情報にも関連付けてコンテンツに付与し、記憶部１３に記憶する。
【００２１】
また、制御部１２は、コンテンツ受信装置を一意に識別する識別子に紐付けられた嗜好情報に基づき、コンテンツとの関連の大きさを示す嗜好度を識別子と関連付けてコンテンツに予め付与した後、受付部１１から当該コンテンツ受信装置の識別子を受けると、記憶部１３に記憶したコンテンツの中から、当該コンテンツ受信装置の識別子と関連付けて付与した嗜好度を有するコンテンツを検索し、該当するコンテンツが存在する場合、当該コンテンツ受信装置に当該コンテンツを配信するよう配信部１４を制御する。制御部１２は、当該コンテンツ受信装置に当該コンテンツを配信させると、記憶部１３に記憶した、当該コンテンツ受信装置の識別子に関連付けて当該コンテンツに付与した嗜好度を剥奪する（例えば、嗜好ポイントを「０」にする）。制御部１２は、記憶部１３に記憶した、コンテンツに付与したコンテンツ受信装置の識別子毎の嗜好度を全て剥奪すると、当該コンテンツを記憶部１３から削除する。
【００２２】
また、制御部１２は、コンテンツが配信数制限に関する情報を含んでいる場合、コンテンツ受信装置への当該コンテンツの配信が配信制限数を超えていないかどうかを判断し、超えていなければ、当該コンテンツ受信装置の識別子と関連付けて当該コンテンツに付与した嗜好度が、当該コンテンツに付与したコンテンツ受信装置の識別子毎の嗜好度の中で最も高いか否かを判断し、最も高い場合は、当該コンテンツ受信装置に当該コンテンツを配信するよう配信部１４を制御する。制御部１２は、当該コンテンツ受信装置に当該コンテンツを配信すると、記憶部１３に記憶した、当該コンテンツ受信装置の識別子と関連付けて配信したコンテンツに付与した嗜好度を剥奪する（例えば、嗜好ポイントを「０」にする）。制御部１２は、コンテンツ受信装置へのコンテンツの配信が配信制限数を超えるまで同様の処理を繰り返し、記憶部１３に記憶した、コンテンツ受信装置の識別子と関連付けてコンテンツに付与したコンテンツ受信装置の識別子毎の嗜好度を全て剥奪すると、当該コンテンツを記憶部１３から削除する。制御部１２は、コンテンツ受信装置へのコンテンツの配信が配信制限数を超えると、コンテンツ受信装置への当該コンテンツの配信を行わず、当該コンテンツ受信装置に当該コンテンツを配信したコンテンツ受信装置の識別子と当該コンテンツを通知し、コンテンツを配信しないコンテンツ受信装置の識別子に関連付けて当該コンテンツに付与した嗜好度を剥奪し、当該コンテンツに付与したコンテンツ受信装置の識別子毎の嗜好度を全て剥奪すると、当該コンテンツを記憶部１３から削除する。
【００２３】
一方、制御部１２は、当該コンテンツ受信装置の識別子と関連付けて当該コンテンツに付与した嗜好度が当該コンテンツに付与したコンテンツ受信装置の識別子毎の嗜好度の中で最も高くない場合は、当該コンテンツを当該コンテンツ受信装置に配信せず、当該コンテンツ受信装置の識別子と関連付けて当該コンテンツに付与した嗜好度が当該コンテンツに付与したコンテンツ受信装置の識別子毎の嗜好度の中で最も高くなるまで同様の処理を繰り返す。
【００２４】
記憶部１３は、制御部１２による制御の元、制御部１２が受信したコンテンツを記憶または削除する。記憶部１３は、制御部１２による制御の元、種々の情報を記憶または削除する。
【００２５】
また、記憶部１３は、受付部１１がコンテンツ受信装置のユーザから受け付けたユーザ情報を記憶している。図２は、実施の形態１に係るコンテンツ配信装置１の記憶部１３が記憶しているユーザ情報を示す図である。記憶部１３は、装置ＩＤに紐付けて、その装置ＩＤを有するコンテンツ受信装置のユーザがコンテンツ配信装置１から配信を受けたいコンテンツのジャンル、カテゴリーの組を配信優先順位付けして記憶している（以降、コンテンツ受信装置２の装置ＩＤ＝００２、コンテンツ受信装置３の装置ＩＤ＝００３として説明する）。例えば、装置ＩＤ＝００２を有するコンテンツ受信装置２のユーザは、コンテンツ配信装置１から配信を受けたいコンテンツとして、ジャンル＝スポーツ、カテゴリー＝野球に該当するまたは類似するコンテンツの配信を最優先に希望している。なお、図２において、装置ＩＤに紐付けられた、コンテンツ受信装置のユーザがコンテンツ配信装置１から配信を受けたいコンテンツのジャンル、カテゴリーの組を配信優先順位付けたものが嗜好情報に該当する。
【００２６】
また、記憶部１３は、制御部１２がコンテンツ受信装置のユーザのユーザ情報に含まれる嗜好情報とコンテンツ、より具体的にはコンテンツに含まれる番組情報、との関連の大きさを示す嗜好度（例えば、嗜好ポイント）をユーザ情報に含まれる識別子と関連付けてコンテンツに付与した情報を記憶している。また、記憶部１３は、コンテンツが配信数制限に関する情報を含んでいる場合、コンテンツ受信装置のユーザのユーザ情報に含まれる嗜好情報とコンテンツ、より具体的にはコンテンツに含まれる番組情報、との関連の大きさを示す嗜好度（例えば、嗜好ポイント）をユーザ情報に含まれる識別子に加え、配信数制限に関する情報にも関連付けて制御部１２がコンテンツに付与した情報を記憶している。
【００２７】
図３は、実施の形態１に係るコンテンツ配信装置の記憶部が記憶している嗜好ポイントを示す図である。記憶部１３は、コンテンツ、配信制限数、装置ＩＤ、嗜好ポイントを関連付けて記憶している。例えば、図３（ａ）において、コンテンツ１は、ジャンル＝スポーツ、カテゴリー＝野球に分類されるコンテンツであるので、装置ＩＤ＝００２を有するコンテンツ受信装置２の配信優先順位２位の嗜好情報と合致するため、高い嗜好ポイント（ここでは７０ポイント）が与えられている。一方、装置ＩＤ＝００３を有するコンテンツ受信装置３の嗜好情報とは合致しないため、嗜好ポイントは「０」である。なお、コンテンツ１にはコンテンツ受信装置への配信数制限が設けられていない。また、例えば、コンテンツ２は、ジャンル＝娯楽、カテゴリー＝グルメに分類されるコンテンツであるので、装置ＩＤ＝００２を有するコンテンツ受信装置２の配信優先順位１位の嗜好情報と合致するため、高い嗜好ポイント（ここでは１００ポイント）が与えられている。一方、装置ＩＤ＝００３を有するコンテンツ受信装置３の配信優先順位３位の嗜好情報と合致するため、装置ＩＤ＝００２を有するコンテンツ受信装置２に与えられる嗜好ポイントよりも低い嗜好ポイント（ここでは４０ポイント）が与えられている。なお、コンテンツ２はコンテンツ受信装置への配信数が「１回」に制限されている。また、例えば、コンテンツ３は、ジャンル＝ドラマ、カテゴリー＝時代劇に分類されるコンテンツであるので、装置ＩＤ＝００２を有するコンテンツ受信装置２の嗜好情報とは合致しないため、嗜好ポイントは「０」である。一方、装置ＩＤ＝００３を有するコンテンツ受信装置３の配信優先順位２位の嗜好情報と合致するため、高い嗜好ポイント（ここでは７０ポイント）が与えられている。なお、コンテンツ３は、コンテンツ２同様、コンテンツ受信装置への配信数が「１回」に制限されている。図３（ｂ）は、コンテンツ受信装置２にコンテンツ１およびコンテンツ２を配信した後の記憶部１３が記憶している嗜好ポイントを示す図である。先に述べたとおり、コンテンツ受信装置２にコンテンツ１およびコンテンツ２を配信した後、制御部１２は、コンテンツ受信装置２の装置ＩＤ＝００２に関連付けてコンテンツ１およびコンテンツ２に付与された嗜好度を剥奪する（ここでは、嗜好ポイントを「０」にする）。
【００２８】
配信部１４は、ネットワークを介してコンテンツ受信装置にコンテンツを配信するインターフェースである。制御部１２に指定された識別子を有するコンテンツ受信装置に指定されたコンテンツを配信する。なお、ネットワークには、公衆電話回線、携帯電話回線、衛星通信回線、あるいはデータ通信回線などを含むネットワーク、家庭内ネットワークなどあらゆる形態のネットワークが含まれる。
【００２９】
次に、コンテンツ受信装置２の構成について説明する。
【００３０】
コンテンツ受信装置２は、送信部２１、制御部２２、受信部２３、記憶部２４、表示部２５を備える。
【００３１】
送信部２１は、制御部２２の制御の元、ネットワークを介してコンテンツ受信装置２を一意に識別する識別子をコンテンツ配信装置１の受付部１１に送信するインターフェースである。既に述べたとおり、コンテンツ受信装置を一意に識別する識別子とは、例えば、装置ＩＤである。また、ネットワークには、公衆電話回線、携帯電話回線、衛星通信回線、あるいはデータ通信回線などを含むネットワーク、家庭内ネットワークなどあらゆる形態のネットワークが含まれる。送信部２１は、コンテンツ受信装置２がコンテンツ配信装置１から所定の距離内に近づくと、自動で当該識別子をコンテンツ配信装置１の受付部１１に送信するよう制御部２２に制御されても良い。また、コンテンツ受信装置２のユーザ指示に基づき当該識別子をコンテンツ配信装置１の受付部１１に送信するよう制御部２２に制御されても良い。また、複数のコンテンツ受信装置が、コンテンツ配信装置１から所定の距離内にある場合には、検出された順番に、自動で当該識別子をコンテンツ配信装置１の受付部１１に送信するよう制御部２２に制御されても良い。
【００３２】
制御部２２は、コンテンツ受信装置２全体を制御する。
【００３３】
制御部２２は、コンテンツ受信装置２を一意に識別する識別子をコンテンツ配信装置１の受付部１１に送信するように送信部２１を制御する。
【００３４】
また、制御部２２は、記憶部２４に記憶されたコンテンツを自動でまたはユーザ指示に基づき、表示部２５に表示する。
【００３５】
受信部２３は、コンテンツ配信装置１の配信部１４から配信されるコンテンツを受信し、受信したコンテンツを記憶部２４に記憶する。
【００３６】
記憶部２４は、受信部２３が受信したコンテンツを記憶する。
【００３７】
表示部２５は、制御部２２の制御の元、記憶部２４に記憶されたコンテンツを自動でまたはユーザ指示に基づき表示する。
[１−２．動作]
以上のように構成されたコンテンツ配信装置１について、図１から図６を用いて、その動作を以下に説明する。
【００３８】
図４は、実施の形態１に係るコンテンツ配信装置の動作を説明するためのフローチャートである。
【００３９】
制御部１２は、コンテンツを受信し、記憶部１３に記憶する（ステップＳ３１）。制御部１２は、記憶部１３に記憶した、コンテンツ受信装置のユーザのユーザ情報に含まれる嗜好情報（各ユーザがコンテンツ配信装置１から配信を受けたいコンテンツのジャンル、カテゴリー）とコンテンツ、より具体的にはコンテンツに含まれる番組情報、との関連の大きさを示す嗜好ポイントを算出し、算出した嗜好度をユーザ情報に含まれる装置ＩＤと関連付けてコンテンツに付与し、記憶部１３に記憶する。制御部１２は、コンテンツが配信数制限に関する情報を含んでいる場合、算出した嗜好ポイントを、受けたユーザ情報に含まれる装置ＩＤに加え、配信数制限に関する情報にも関連付けてコンテンツに付与し、記憶部１３に記憶する（図３（ａ）参照）（ステップＳ３２）。制御部１２は、コンテンツ受信装置を一意に識別する識別子に紐付けられた嗜好情報に基づき、コンテンツとの関連の大きさを示す嗜好度を識別子と関連付けてコンテンツに予め付与した後、受付部１１からコンテンツ受信装置の装置ＩＤを受けると、記憶部１３に記憶している嗜好ポイントを付与したコンテンツの、受けた装置ＩＤを有するコンテンツ受信装置への配信を制御する（ステップＳ３３）。詳細は図５を用いて説明する。
【００４０】
図５は、実施の形態１に係るコンテンツ配信装置のコンテンツ配信制御を説明するためのフローチャートである。
【００４１】
記憶部１３が図３（ａ）に示す情報を記憶している状態で、制御部１２がコンテンツ受信装置２の装置ＩＤ＝００２を受けた場合について説明する。
【００４２】
制御部１２は、受付部１１からコンテンツ受信装置２の装置ＩＤ＝００２を受けると（ステップＳ５１でＹｅｓ）、記憶部１３に記憶したコンテンツの中から、コンテンツ受信装置２の装置ＩＤ＝００２と関連付けて付与した嗜好ポイントを有するコンテンツを検索する（ステップＳ５２）。この場合、コンテンツ受信装置２の装置ＩＤ＝００２と関連付けて付与した嗜好ポイントを有するコンテンツは、コンテンツ１とコンテンツ２である（ステップＳ５２でＹｅｓ）。
【００４３】
コンテンツ１について、制御部１２は、コンテンツ１が配信数制限付きコンテンツであるか否かを判断し（ステップＳ５３）、コンテンツ１は配信数制限がないので（ステップＳ５３でＮｏ）、コンテンツ１をコンテンツ受信装置２に配信するよう配信部１４を制御する（ステップＳ５０１）。コンテンツ１をコンテンツ受信装置２に配信した後、制御部１２は、記憶部１３に記憶した、コンテンツ受信装置２の装置ＩＤ＝００２に関連付けてコンテンツ１に付与した嗜好ポイントを「０」にする（ステップＳ５０２）（図３（ｂ）参照）。制御部１２は、記憶部１３に記憶した、コンテンツ１に付与したコンテンツ受信装置の装置ＩＤ毎の嗜好ポイントが全て「０」であることを確認すると（ステップＳ５０３でＹｅｓ）（図３（ｂ）参照）、コンテンツ１を記憶部１３から削除する（ステップＳ５０４）。
【００４４】
コンテンツ２について、制御部１２は、コンテンツ２が配信数制限付きコンテンツであるか否かを判断し（ステップＳ５３）、コンテンツ２は配信数制限があるので（ステップＳ５３でＹｅｓ）、コンテンツ受信装置２へのコンテンツ２の配信がコンテンツ２の配信制限数を超えていないか否かを判断する（ステップＳ５１１）。制御部１２は、コンテンツ受信装置２へのコンテンツ２の配信はコンテンツ２の配信制限数を超えていないので（ステップＳ５１１Ｎｏ）、コンテンツ受信装置２の装置ＩＤと関連付けてコンテンツ２に付与した嗜好ポイントが、コンテンツ２に付与したコンテンツ受信装置の装置ＩＤ毎の嗜好ポイントの中で最も高いか否かを判断する（ステップＳ５１２）。この場合、コンテンツ受信装置２の装置ＩＤと関連付けてコンテンツ２に付与した嗜好ポイントは、コンテンツ２に付与したコンテンツ受信装置の装置ＩＤ毎の嗜好ポイントの中で最も高いので（ステップＳ５１２でＹｅｓ）、制御部１２は、コンテンツ受信装置２にコンテンツ２を配信するよう配信部１４を制御する（ステップＳ５１３）。制御部１２は、コンテンツ２の配信数に「１」をプラスする（ステップＳ５１４）。制御部１２は、コンテンツ受信装置２にコンテンツ２を配信すると、記憶部１３に記憶した、コンテンツ受信装置２の装置ＩＤ＝００２と関連付けて配信したコンテンツ２に付与した嗜好ポイントを「０」にする（ステップＳ５１５）（図３（ｂ）参照）。制御部１２は、記憶部１３に記憶した、コンテンツ２に付与したコンテンツ受信装置の装置ＩＤ毎の嗜好ポイントは全て「０」ではないことを確認すると（ステップＳ５１６でＮｏ）、コンテンツ２を記憶部１３から削除せず、新たに装置ＩＤを受けるのを待つ。
【００４５】
次に、記憶部１３が図３（ａ）に示す情報を記憶している状態でコンテンツ受信装置２の装置ＩＤ＝００２を受けた場合（記憶部１３は図３（ｂ）に示す情報を記憶）に続いて、制御部１２がコンテンツ受信装置３の装置ＩＤ＝００３を受けた場合について説明する。
【００４６】
制御部１２は、受付部１１からコンテンツ受信装置３の装置ＩＤ＝００３を受けると（ステップＳ５１でＹｅｓ）、記憶部１３に記憶したコンテンツの中から、コンテンツ受信装置３の装置ＩＤ＝００３と関連付けて付与した嗜好ポイントを有するコンテンツを検索する（ステップＳ５２）。この場合、コンテンツ受信装置３の装置ＩＤ＝００３と関連付けて付与した嗜好ポイントを有するコンテンツは、コンテンツ２とコンテンツ３である（ステップＳ５２でＹｅｓ）。
【００４７】
コンテンツ２について、制御部１２は、コンテンツ２が配信数制限付きコンテンツであるか否かを判断し（ステップＳ５３）、コンテンツ２は配信数制限があるので（ステップＳ５３でＹｅｓ）、コンテンツ受信装置３へのコンテンツ２の配信がコンテンツ２の配信制限数を超えていないか否かを判断する（ステップＳ５１１）。制御部１２は、コンテンツ受信装置３へのコンテンツ２の配信はコンテンツ２の配信制限数を超えているので（ステップＳ５１１でＹｅｓ）、コンテンツ受信装置３へのコンテンツ２の配信は行わず、コンテンツ２を配信したコンテンツ受信装置２の装置ＩＤ＝００２とコンテンツ２をコンテンツ受信装置３に通知し（ステップＳ５１７）、コンテンツ受信装置３の識別子＝００３に関連付けてコンテンツ２に付与した嗜好度を剥奪する（ステップＳ５１８）。制御部１２は、これによりコンテンツ２に付与したコンテンツ受信装置の識別子毎の嗜好度を全て剥奪したことになり（ステップＳ５１６でＹｅｓ）、コンテンツ２を記憶部１３から削除する（ステップＳ５０４）。
【００４８】
コンテンツ３については、記憶部１３が図３（ａ）に示す情報を記憶している状態で、制御部１２がコンテンツ受信装置２の装置ＩＤ＝００２を受けた場合のコンテンツ２についての処理と同じなので説明を省略する。
【００４９】
次に、記憶部１３が図３（ａ）に示す情報を記憶している状態で、制御部１２がコンテンツ受信装置３の装置ＩＤ＝００３を受けた場合について説明する。
【００５０】
制御部１２は、受付部１１からコンテンツ受信装置３の装置ＩＤ＝００３を受けると（ステップＳ５１でＹｅｓ）、記憶部１３に記憶したコンテンツの中から、コンテンツ受信装置３の装置ＩＤ＝００３と関連付けて付与した嗜好ポイントを有するコンテンツを検索する（ステップＳ５２）。この場合、コンテンツ受信装置３の装置ＩＤ＝００３と関連付けて付与した嗜好ポイントを有するコンテンツは、コンテンツ２とコンテンツ３である（ステップＳ５２でＹｅｓ）。
【００５１】
コンテンツ２について、制御部１２は、コンテンツ２が配信数制限付きコンテンツであるか否かを判断し（ステップＳ５３）、コンテンツ２は配信数制限があるので（ステップＳ５３でＹｅｓ）、コンテンツ受信装置３へのコンテンツ２の配信がコンテンツ２の配信制限数を超えていないか否かを判断する（ステップＳ５１１）。制御部１２は、コンテンツ受信装置３へのコンテンツ２の配信はコンテンツ２の配信制限数を超えていないので（ステップＳ５１１Ｎｏ）、コンテンツ受信装置３の装置ＩＤと関連付けてコンテンツ２に付与した嗜好ポイントが、コンテンツ２に付与したコンテンツ受信装置の装置ＩＤ毎の嗜好ポイントの中で最も高いか否かを判断する（ステップＳ５１２）。この場合、コンテンツ受信装置３の装置ＩＤと関連付けてコンテンツ２に付与した嗜好ポイントは、コンテンツ２に付与したコンテンツ受信装置の装置ＩＤ毎の嗜好ポイントの中で最も高くないので（ステップＳ５１２でＮｏ）、制御部１２は、コンテンツ受信装置３へのコンテンツ２の配信は行わず、新たに装置ＩＤを受けるのを待つ。なお、この状態で、制御部１２がコンテンツ受信装置２の装置ＩＤ＝００２を受けると（ステップＳ５１でＹｅｓ）、制御部１２は、コンテンツ受信装置２にコンテンツ２を配信するよう制御し（ステップＳ５１３）、その後、コンテンツ受信装置３の装置ＩＤ＝００３をさらに受けた時点で（ステップＳ５１でＹｅｓ）、コンテンツ２を配信したコンテンツ受信装置２の装置ＩＤ＝００２とコンテンツ２をコンテンツ受信装置３に通知し（ステップＳ５１７）、コンテンツ２を記憶部１３から削除する（ステップＳ５０４）。
【００５２】
コンテンツ３については、記憶部１３が図３（ａ）に示す情報を記憶している状態で、制御部１２がコンテンツ受信装置２の装置ＩＤ＝００２を受けた場合のコンテンツ２についての処理と同じなので説明を省略する。
【００５３】
ところで、記憶部１３からコンテンツを削除する方法は、既に述べた、コンテンツに付与したコンテンツ受信装置の装置ＩＤ毎の嗜好ポイントが全て「０」であることを確認した時点（ステップＳ５０３でＹｅｓ、ステップＳ５１６でＹｅｓ）や、コンテンツを配信したコンテンツ受信装置の装置ＩＤとコンテンツをコンテンツが配信されなかったコンテンツ受信装置に通知した時点（ステップＳ５１７）だけでなく、以下のような方法も可能である。
【００５４】
図６は、実施の形態１に係るコンテンツ配信装置のコンテンツ削除制御を説明するためのフローチャートである。
【００５５】
制御部１２は、コンテンツに付与したコンテンツ受信装置の装置ＩＤ毎の嗜好ポイントが全て「０」であることを確認した時点（ステップＳ５０３でＹｅｓ、ステップＳ５１６でＹｅｓ）およびコンテンツを配信したコンテンツ受信装置の装置ＩＤとコンテンツをコンテンツが配信されなかったコンテンツ受信装置に通知した時点（ステップＳ５１７）で、記憶部１３の残容量が所定の残容量よりも少ないか否かを確認し（ステップＳ６１）、記憶部１３の残容量が所定の残容量よりも多い場合は（ステップＳ６１でＮｏ）、コンテンツの削除を行わず、記憶部１３の残容量が所定の残容量よりも少なくなった時点で（ステップＳ６１でＹｅｓ）、コンテンツを削除する。
【００５６】
なお、実施の形態１において、受付部１１が受付部の一例に対応し、制御部１２が制御部の一例に対応し、記憶部１３が記憶部の一例に対応し、配信部１４が配信部の一例に対応する。
[１−３．効果]
以上のように、本実施の形態におけるコンテンツ配信装置は、コンテンツ受信装置を一意に識別する識別子および前記識別子に紐付けられた嗜好情報を受け付ける受付部と、コンテンツを記憶する記憶部と、前記コンテンツを前記コンテンツ受信装置に配信する配信部と、前記嗜好情報に基づき、前記コンテンツとの関連の大きさを示す嗜好度を前記識別子と関連付けて前記コンテンツに予め付与し、前記コンテンツ受信装置から識別子を受信すると、前記受信した識別子に関連付けて付与した嗜好度を有するコンテンツを前記受信した識別子を有するコンテンツ受信装置に配信するよう前記配信部を制御する制御部と、を備える。
【００５７】
また、本実施の形態におけるコンテンツ配信方法は、コンテンツ受信装置を一意に識別する識別子および前記識別子に紐付けられた嗜好情報を受け付ける受付ステップと、コンテンツを記憶する記憶ステップと、前記嗜好情報に基づき、前記コンテンツとの関連の大きさを示す嗜好度を前記識別子と関連付けて前記コンテンツに予め付与し、前記コンテンツ受信装置から識別子を受信すると、前記受信した識別子に関連付けて付与した嗜好度を有するコンテンツを前記受信した識別子を有するコンテンツ受信装置に配信する配信ステップと、を備える。
【００５８】
これにより、コンテンツ配信装置およびコンテンツ配信方法は、コンテンツ受信装置を一意に識別する識別子に紐付けられた嗜好情報に基づき、コンテンツとの関連の大きさを示す嗜好度を識別子と関連付けてコンテンツに付与し、コンテンツ受信装置から識別子を受信すると、受信した識別子に関連付けられて付与された嗜好度を有するコンテンツを受信した識別子を有するコンテンツ受信装置に配信するので、ユーザのコンテンツ受信装置にユーザの嗜好にあったコンテンツを自動配信することができる。
【００５９】
また、前記制御部は、前記コンテンツを配信した後、前記コンテンツを配信したコンテンツ受信装置の識別子に関連付けて前記コンテンツに付与した嗜好度を剥奪し、前記コンテンツに付与したコンテンツ受信装置の識別子毎の嗜好度を全て剥奪すると、前記コンテンツを前記記憶部から削除する。
【００６０】
これにより、コンテンツ配信装置は、コンテンツを配信した後、当該コンテンツを配信したコンテンツ受信装置の識別子に関連付けて当該コンテンツに付与した嗜好度を剥奪し、当該コンテンツに付与したコンテンツ受信装置の識別子毎の嗜好度を全て剥奪すると、当該コンテンツを記憶部から削除するので、コンテンツの誤削除を軽減することができる。
【００６１】
また、前記制御部は、前記コンテンツに配信数制限がある場合、前記嗜好度が最も高い識別子を有するコンテンツ受信装置から順に前記配信数制限まで前記コンテンツを配信し、前記配信数制限を超えて前記コンテンツを配信しない識別子を受信すると、前記コンテンツを配信しない識別子を有するコンテンツ受信装置に前記コンテンツを配信したコンテンツ受信装置の識別子と前記配信しないコンテンツを通知する。
【００６２】
これにより、コンテンツ配信装置は、コンテンツに配信数制限がある場合、嗜好度が最も高い識別子を有するコンテンツ受信装置から順に配信数制限まで当該コンテンツを配信し、配信数制限を超えて当該コンテンツを配信しない識別子を受信すると、当該コンテンツを配信しない識別子を有するコンテンツ受信装置に当該コンテンツを配信したコンテンツ受信装置の識別子と配信しない当該コンテンツを通知するので、当該コンテンツを配信しなかったコンテンツ受信装置のユーザは、当該コンテンツを配信されたコンテンツ受信装置で当該コンテンツ視聴することができるのでコンテンツが視聴できなくなるという不利益は改善される。
【００６３】
また、前記制御部は、前記コンテンツを配信した後、前記コンテンツを配信したコンテンツ受信装置の識別子に関連付けて前記コンテンツに付与した嗜好度を剥奪し、かつ、前記配信数制限を超えて前記コンテンツを配信しない識別子を受信すると、前記コンテンツを配信しない識別子を有するコンテンツ受信装置に前記コンテンツを配信したコンテンツ受信装置の識別子と前記配信しないコンテンツを通知した後、前記コンテンツを配信しないコンテンツ受信装置の識別子に関連付けて前記コンテンツに付与した嗜好度を剥奪し、前記コンテンツに付与したコンテンツ受信装置の識別子毎の嗜好度を全て剥奪すると、前記コンテンツを記憶部から削除する。
【００６４】
これにより、コンテンツ配信装置は、コンテンツを配信した後、当該コンテンツを配信したコンテンツ受信装置の識別子に関連付けて当該コンテンツに付与した嗜好度を剥奪し、かつ、配信数制限を超えて当該コンテンツを配信しない識別子を受信すると、当該コンテンツを配信しない識別子を有するコンテンツ受信装置に当該コンテンツを配信したコンテンツ受信装置の識別子と配信しない当該コンテンツを通知した後、当該コンテンツを配信しないコンテンツ受信装置の識別子に関連付けて当該コンテンツに付与した嗜好度を剥奪し、当該コンテンツに付与したコンテンツ受信装置の識別子毎の嗜好度を全て剥奪すると、当該コンテンツを記憶部から削除するので、コンテンツの誤削除を軽減することができる。
【００６５】
また、前記制御部は、前記記憶部の残記憶容量が所定の容量よりも少なくなるまでは、前記コンテンツに付与したコンテンツ受信装置の識別子毎の嗜好度を全て剥奪しても、前記コンテンツを削除しない。
【００６６】
これにより、コンテンツ配信装置は、記憶部の残記憶容量が所定の容量よりも少なくなるまでは、コンテンツに付与したコンテンツ受信装置の識別子毎の嗜好度を全て剥奪しても、当該コンテンツを削除しないので、あるユーザの嗜好に合わないが他のユーザの嗜好に合うコンテンツをできるかぎり記憶部に保存でき視聴できるので、ユーザにとって新しい嗜好を増やすことが可能となる。
（変形例）
なお、ユーザ情報は、コンテンツ受信装置のユーザがコンテンツ配信装置１に入力するものでなくても良く、コンテンツ配信装置１とコンテンツ受信装置とが通信する際に、コンテンツ受信装置からコンテンツ配信装置に自動的に送信することとしても良い。
【００６７】
また、嗜好情報は、コンテンツ受信装置のユーザがコンテンツ配信装置１やコンテンツ受信装置に入力するものでなくても良く、コンテンツ受信装置のユーザがコンテンツ配信装置１やコンテンツ受信装置を操作した際の操作履歴等から自動的に作成されるものであっても良い。
【００６８】
また、コンテンツ配信装置１は、コンテンツを配信する際に、コンテンツ情報（例えば、コンテンツ名や、コンテンツ名にコンテンツの概要やおすすめ度を加えた情報）のみをコンテンツ受信装置に配信し、コンテンツ受信装置は記憶部に当該コンテンツ情報のみを記憶することとしても良い。コンテンツ受信装置のユーザが当該コンテンツを視聴したい場合には、コンテンツ配信装置１に対して当該コンテンツの配信を要望し、コンテンツ配信装置１は当該コンテンツをコンテンツ受信装置に配信した後、当該コンテンツを配信したコンテンツ受信装置の識別子に関連付けて当該コンテンツに付与した嗜好度を剥奪し、当該コンテンツに付与したコンテンツ受信装置の識別子毎の嗜好度を全て剥奪すると、当該コンテンツを記憶部から削除する。
【００６９】
また、コンテンツ情報のみを配信したコンテンツ受信装置の識別子に当該コンテンツに関連付けてコンテンツ配信要求期限を設定し、当該コンテンツ受信装置のユーザが設定されたコンテンツ配信要求期限内にコンテンツ配信装置１に対して当該コンテンツの配信を要望しなかった場合には、当該コンテンツ配信することなく、当該コンテンツ受信装置の識別子に関連付けて当該コンテンツに付与した嗜好度を剥奪することとしても良い。
【００７０】
これにより、コンテンツ受信装置の記憶部の使用容量を削減することができる。
【００７１】
また、コンテンツ配信装置１は、コンテンツを配信する際に、嗜好ポイントの大小により、コンテンツ受信装置に当該コンテンツを配信するか、当該コンテンツのコンテンツ情報のみを配信するかを切り分けることとしても良い。例えば、コンテンツ配信装置１は、コンテンツを配信する際に、嗜好ポイントが所定の閾値以上のコンテンツは、当該コンテンツをコンテンツ受信装置に配信し、嗜好ポイントが所定の閾値未満のコンテンツは、当該コンテンツのコンテンツ情報のみをコンテンツ受信装置に配信することとしても良い。コンテンツ情報のみを配信されたコンテンツ受信装置のユーザが当該コンテンツを視聴したい場合には、コンテンツ配信装置１に対して当該コンテンツの配信を要望し、コンテンツ配信装置１は当該コンテンツをコンテンツ受信装置に配信した後、当該コンテンツを配信したコンテンツ受信装置の識別子に関連付けて当該コンテンツに付与した嗜好度を剥奪し、当該コンテンツに付与したコンテンツ受信装置の識別子毎の嗜好度を全て剥奪すると、当該コンテンツを記憶部から削除する。
【００７２】
これにより、コンテンツ受信装置のユーザがコンテンツの視聴要望を行う手間が減り、操作性を向上できる。
【００７３】
以上のように、本開示における技術の例示として、実施の形態を説明した。そのために、添付図面および詳細な説明を提供した。
【００７４】
したがって、添付図面および詳細な説明に記載された構成要素の中には、課題解決のために必須な構成要素だけでなく、上記実装を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７５】
また、上述の実施の形態は、本開示における技術を例示するためのものであるから、特許請求の範囲またはその均等の範囲において種々の変更、置き換え、付加、省略などを行うことができる。
【産業上の利用可能性】
【００７６】
本開示の技術は、コンテンツ配信技術として有用である。
【符号の説明】
【００７７】
１          コンテンツ配信装置
２、３      コンテンツ受信装置
１１        受付部
１２、２２  制御部
１３、２４  記憶部
１４        配信部
２１        送信部
２３        受信部
２５        表示部
１００      コンテンツ配信システム
【図１】
2015136034.tif 000003
【図２】
2015136034.tif 000004
【図３】
2015136034.tif 000005
【図４】
2015136034.tif 000006
【図５】
2015136034.tif 000007
【図６】
2015136034.tif 000008